(57)【要約】      （修正有）【課題】使い勝手がよく、かつ土が農具の面に強固に付着している場合でも簡単に土落としが可能な土落とし具を提供する。【解決手段】平面視して長方形の薄い金属板製の刃部と、刃部の元部に固定され、かつ刃部の幅方向に長いグリップとを備えた土落とし具であって、刃部は、その表面がグリップの刃部連結面を基準にして１０°〜３０°傾斜し、刃部はその全長にわたって幅方向の中央部分が凹んだ形状で、かつ刃部の先端がＶ字形状または円弧形状に切欠されている。【選択図】図１
0003179324.tif 000002
【実用新案登録請求の範囲】
【請求項１】
平面視して矩形状の薄い金属板からなり、かつ農具に付着した土を掻き落とす刃部と、
該刃部の元部に刃部固定面を面接触させて固定され、かつ長さが該刃部の幅と同一であるとともに、長さ方向が該刃部の幅方向に向いたグリップとを備えた土落とし具であって、
前記刃部は、前記グリップの刃部固定面を基準として１０°〜３０°傾斜し、かつ該刃部は、その全長にわたって幅方向の中央部分が凹んだ形状で、かつ該刃部の先端はＶ字形状または円弧形状に切欠されている土落とし具。
【考案の詳細な説明】
【技術分野】
【０００１】
この考案は土落とし具、詳しくは鍬やスコップなどの農具に付着した土（泥）を落とすための土落とし具に関する。
【背景技術】
【０００２】
鍬などを用いて田畑を耕せば刃先に土が付着し、その付着した土を放置すれば刃先が錆びるため、使用後、土落としが行われている。その際に使用される土落とし具として、例えば特許文献１に開示された「土の掻き落し具本体（以下、掻き落し具）」が知られている。これは、トラクターや耕運機といった農業機械、あるいはパワーショベルなどの土木機械の表面に付着した土を掻き落すもので、薄い矩形状の鋼板からなり、その先端を機械の表面に押し付けた際に鋼板が撓むことで、付着した土が効果的に掻き落される。使用に際しては、１メートル程度の長さの柄の先端部に、この掻き落し具の元部を固定する。
【先行技術文献】
【特許文献】
【０００３】
【特許文献１】意匠登録第１４３９５８７号公報
【考案の概要】
【考案が解決しようとする課題】
【０００４】
しかしながら、特許文献１の「掻き落し具」は、このように農業機械や土木機械の表面に付着した土を掻き落すものであり、しかも長い棒状の柄を、その長さ方向を鋼板の長さ方向と一致させて、掻き落し具の元部に固定して使用しなければならなかった。そのため、鍬の刃部に付着した土を掻き落とす際、持ち手が定まらずに使い勝手が悪かった。
また、かたい土が鍬の刃部の面に付着している場合、掻き落し具の鋼板の撓み易さが災いし、鋼板の先端をその土のかたまりと刃部の面との隙間にうまく押し込めず、かたい土の表面を鋼板がすべって掻き落せないことが多々あった。
【０００５】
この考案は、使い勝手がよく、かつ土が農具の面に強固に付着している場合でも簡単に土落としが可能な土落とし具を提供することを目的としている。
【課題を解決するための手段】
【０００６】
請求項１に記載の考案は、平面視して矩形状の薄い金属板からなり、かつ農具に付着した土を掻き落とす刃部と、該刃部の元部に刃部固定面を面接触させて固定され、かつ長さが該刃部の幅と同一であるとともに、長さ方向が該刃部の幅方向に向いたグリップとを備えた土落とし具であって、前記刃部は、前記グリップの刃部固定面を基準として１０°〜３０°傾斜し、かつ該刃部は、その全長にわたって幅方向の中央部分が凹んだ形状で、かつ該刃部の先端はＶ字形状または円弧形状に切欠されている土落とし具である。
【０００７】
ここでいう農具としては、例えば鍬、スコップ、鋤、鎌などを採用することができる。
刃部を構成する金属板としては、例えばステンレス板、鉄板、アルミニウム合金板などを採用することができる。金属板の厚さは０．５〜３ｍｍ、好ましくは１〜２ｍｍである。刃部の平面視した形状（矩形状）には台形状を含む。
ここでいう「グリップの刃部固定面」とは、刃部の元部にグリップを固定した際の、グリップにおける刃部の元部との接触面である。刃部の表面の傾斜角度は、この刃部固定面（刃部の元部の表面）を基準とした傾きである。
刃部の傾斜角度が１０°未満では、グリップに対する刃部の傾斜が小さくて土落とし時に農具を大きく傾けなければ作業がしにくい。また、３０°を超えれば、グリップに対する刃部の傾斜角度が大きくなり過ぎてしまい、土落とし時にグリップから刃部に加えられた力のロスが大きい。
【０００８】
グリップの素材としては、例えば各種の木材、各種のプラスチック、各種の金属、各種のセラミックスなどを採用することができる。グリップには、作業者が握り易いように所定形状の凹みを形成したり、所定形状の溝を形成してもよい。
グリップの形状は限定されない。例えば丸棒、角棒などでもよい。
ここでいう「刃部は、その全長にわたって幅方向の中央部分が凹んだ形状である」とは、例えば刃部をその幅方向に２分割する仮想直線を中心にして、この刃部をＶ字状に屈曲させた形状などをいう。なお、そのＶ字の内側の角度は、刃部の先端から元部側の端に向かって徐々に１８０°（平面）に近づくようにした方が、掻き取った土の刃部からの剥ぎ落ちが円滑となるため好ましい。
刃部の先端の切欠形状は、平面視してＶ字形状でも、円弧形状でもよい。
刃部の元部の付近には指掛け穴を形成してもよい。指掛け穴の形状は限定されない。例えば、平面視して円形、楕円形、三角形以上の多角でもよい。指掛け穴の形成数は１つでも２つ以上でもよい。
【考案の効果】
【０００９】
請求項１に記載の考案によれば、グリップとして長さが刃部の幅と同一で、かつ長さ方向を刃部の幅方向（横）に向けたものを採用したため、従来のように長い棒状の柄が不要となり、農具に付着した土（泥を含む）を掻き落とす際の持ち手が定まり易い。しかも、使用者がグリップを握る際、グリップが横向きで従来品に比べて短いため、様々な持ち手で握ることができる。これにより、従来品に比べて土落とし具の使い勝手が良くなる。
また、刃部の表面がグリップの刃部固定面を基準にして１０°〜３０°だけ傾斜している。これにより、土落とし時、農具を大きく傾けなくても土を円滑に掻き落すために必要な、農具の土付着面と刃部との接触角（３０°〜６０°）を得ることができる。しかも、土落としを行う際にグリップから刃部に加えられた力のロスも小さい。
【００１０】
また、刃部は、その全長にわたって幅方向の中央部分が凹んだ形状であるため、傾斜した刃部の面に沿って、掻き落した土がグリップの方向へ移動する際に、刃部からの土の剥がれが円滑になる。
さらに、土落とし具の刃部の先端を、平面視してＶ字形状または円弧形状としたため、土のかたまりが農具の面に強固に付着している場合であっても、刃部の先端のうち、切欠により尖った部分が、土のかたまりと農具の面との隙間にまず刺し込まれ、引き続きグリップから刃部に加えれた力が、この刺し込まれた部分に集中して作用する。その結果、このようにかたい土が付着している場合であっても、従来に比べて小さな力で農具から土を剥ぎ落とすことができる。
【図面の簡単な説明】
【００１１】
【図１】この考案の実施例１に係る土落とし具の斜視図である。
【図２】この考案の実施例１に係る土落とし具の側面図である。
【図３】この考案の実施例１に係る土落とし具の使用状態を示す斜視図である。
【図４】この考案の実施例１に係る土落とし具の別の握り方での使用状態を示す斜視図である。
【考案を実施するための形態】
【００１２】
以下、この考案の実施例を具体的に説明する。ここでは、説明の都合上、図中のＸ１方向を前方向、Ｘ２方向を後ろ方向、Ｙ１方向を左方向、Ｙ２方向を右方向、Ｚ１方向を上方向、Ｚ２方向を下方向とする。
【実施例】
【００１３】
図１〜図３において、１０はこの考案の実施例１に係る土落とし具で、この土落とし具１０は、平面視して徐々に先細りしたＸ１−Ｘ２方向に長い矩形状の薄い厚さ１ｍｍのステンレス板（金属板）からなり、かつ鍬（農具）１１に付着した土を掻き落とす刃部１２と、この刃部１２の元部（Ｙ２側の部分）１２ａの表面（上面）１２ｂに固定され、かつ長さが刃部１２の幅と同一であるとともに、長さ方向（Ｙ１−Ｙ２方向）が刃部１２の幅方向（Ｙ１−Ｙ２方向）に向いたグリップ１３とを備えたものである。
刃部１２は、グリップ１３が固定される元部（Ｘ２側の端部）１２ａ除き、その全長にわたって幅方向（Ｙ１−Ｙ２方向）の中央部分（中間部分）が凹んだ形状となっている。具体的には、刃部１２をその幅方向に２分割する中心線（仮想直線）ａを中心にして、この刃部１２をＶ字状に屈曲させた形状をいう。このとき、Ｖ字の内側の角度は、刃部１２の先端１２ｃから元部側の端に向かって徐々に平面に近づくように刃部１２を屈曲加工している。そのため、掻き取った土の刃部１２の表面１２ｂからの剥離が円滑となる。
【００１４】
また、刃部１２の先端１２ｃは、平面視して略Ｖ字形状に切欠されている。さらに、この刃部（刃部１２のうち、元部１２ａを除く部分）１２は、その表面１２ｂが、グリップ１３の刃部固定面１３ａ、すなわちグリップ１３のうちの刃部１２の元部１２ａに固定される裏面（さらに言い換えれば元部１２ａの表面１２ｂ）を基準として、３０°傾斜している。刃部１２の元部付近のうち、刃部１２の幅方向の中間部には、長さ方向（Ｘ１−Ｘ２方向）が刃部１２の長さ方向（Ｘ１−Ｘ２方向）に向いた長孔形状の指掛け穴１４が１つだけ形成されている。この指掛け穴１４は、成人男性の親指が掛止可能なサイズである。また、刃部１２のうち、その長さ方向の中間部から先端部の領域には、平面視してサイコロの「五の目」と同一の配列で、合計５つの小径な貫通孔１５が形成されている。各貫通孔１５を形成することで、剥ぎ取った土のかたまりが刃部１２の表面１２ｂに付着しにくくなる。なお、これらの指掛け穴１４および貫通孔１５は、それぞれ必ずしも設ける必要はない。
【００１５】
グリップ１３は、その長さ方向に直交する断面が、刃部１２の長さ方向に長い略矩形状を有した短尺な角材である。グリップ１３は、その刃部固定面１３ａが刃部１２の元部１２ａの表面１２ｂに接着剤を介してしっかりと面接触状態で固定されている。グリップ１３の長さ方向（Ｙ１−Ｙ２方向）の中間部のうち、刃部１２の先端側の部分には、グリップ１３を握り易くする円弧形状の凹部１３ｂが形成されている。さらに、グリップ１３での刃部１２の先端側の端面は、上方へ向かって徐々に突出する傾斜面となっている。これにより、図２の二点鎖線に示すように、グリップ１３の上方へ傾斜した先端部に指を掛け、土を落とすことができる。
この土落とし具１０は、ズボンのベルトに掛けられる図３に示す木製の吊りケース２０に、出し入れ可能に収納される。吊りケース２０は、正面視して上方へ向かうほど徐々に先細りとなった略弾頭型のベルト吊り板２１と、ベルト吊り板２１の長さ方向の中間部に横架された門形の掛止枠２２とを有している。吊りケース２０への土落とし具１０の吊下げ時には、刃部１２を下に向けて掛止枠２２の内部空間に差し込み、これを掛止枠２２に掛止する。
【００１６】
次に、図３および図４を参照して、この考案の実施例１に係る土落とし具１０による鍬１１の刃先に付着した土を除去する方法を説明する。
図３に示すように、鍬１１に付着した土を落とす際には、吊りケース２０から土落とし具１０を引き抜き、例えば腕と手首を真っ直ぐにして左手でグリップ１３をつかむ。このとき、親指を凹部１３ｂに掛けるとともに、中指を刃部１２の裏側から指掛け穴１４に引っかける。この状態を維持して、鍬１１の刃先に付着した土を掻き落とす。また、図４に示すように、手首を直角に曲げ、中指を指掛け穴１４に深く差し入れてグリップ１３を握り、鍬１１の刃先に付着した土を掻き落としてもよい。
【００１７】
このように、グリップ１３として、長さが刃部１２の幅と同一で、かつ長さ方向を刃部１２の幅方向に向けたものを採用したため、従来のように長い棒状の柄が不要となり、鍬１１に付着した土を掻き落とす際の持ち手が定まり易い。しかも、使用者がグリップ１３を握る際、グリップ１３が横向きで従来品に比べて短いため、様々な持ち手で握ることができる。さらに、刃部１２のグリップ付近に指掛け穴１４が形成されているため、指掛け穴１４に中指や人差し指などを掛けられることで、グリップ１３を様々な持ち方で強く握ることができる(例えば、図２)。その結果、従来品に比べて土落とし具１０の使い勝手がよくなり、土落としの作業性が高まる。
また、刃部１２の表面１２ｂが、グリップ１３の刃部固定面１３ａを基準にして３０°だけ傾斜しているため、土落とし時、鍬１１を少しだけ傾ければ土を円滑に掻き落す際に必要な、鍬１１の土付着面と刃部１２との接触角（３０°〜６０°）が得られる。その結果、土落としの作業姿勢として、鍬１２を地面に固定し易くなり、土落としが容易となる。しかも、土落とし時にグリップ１３から刃部１２に加えられた力のロスも小さい。
【００１８】
さらに、刃部１２を、その全長にわたって幅方向の中央部分が凹んだ形状としたため、傾斜した刃部１２の表面１２ｂに沿って、掻き落した土がＸ２方向へ移動するとき、この表面１２ｂからの土の剥がれが円滑になる。
さらに、刃部１２の先端１２ｃを平面視してＶ字形状にカットしたため、土のかたまりが鍬１１の面に強固に付着しても、まず刃部１２の先端１２ｃのうち、切欠により尖った両端部分１２ｄが土のかたまりと鍬１１の刃先との隙間に刺し込まれ、さらにグリップ１３から刃部１２に加えられた力が、この尖った両端部分１２ｄに集中して作用する。その結果、かたい土が鍬１１の刃先に付着している場合であっても、従来に比べて小さな力で鍬１１から土を剥ぎ落とすことができる。
【産業上の利用可能性】
【００１９】
この考案の土落とし具は、例えば農作業で使用される鍬や鋤、スコップなどに付着した土を除去する技術として有用である。
【符号の説明】
【００２０】
１０  土落とし具、
１１  鍬（農具）、
１２  刃部、
１２ａ  元部、
１２ｂ  表面、
１３  グリップ、
１３ａ  刃部固定面、
１４  指掛け穴。
【図１】
0003179324.tif 000003
【図２】
0003179324.tif 000004
【図３】
0003179324.tif 000005
【図４】
0003179324.tif 000006